(57)【要約】【課題】音声、映像、その他マルチメディアデータを再生する再生処理装置において、受信状態は良好であるにも関わらず、受信端末が持つ機能によって放送映像の一部分ないし全部が画面出力されない場合には閲覧不可として検知していなかったため、ユーザが放送番組の重要な情報を見落とす問題が発生する。【解決手段】再生処理装置１００において、放送映像や放送データ等の少なくとも一部が表示画面１０９に出力されない事象、あるいは放送映像や放送データが表示画面１０９に出力されたことを使用者が確認できない事象を検知する閲覧不可検知手段１１１と、検知された検知結果に対応する処理を実行する閲覧不可時処理手段１１４とを有することを特徴とする。【選択図】図１
2006148631.tif 000002
【特許請求の範囲】
【請求項１】
放送波または通信回線より取得したストリームデータを復号化することによって得られるデータを再生して表示する再生処理装置であって、
表示対象のデータを出力するための表示画面と、
前記表示対象のデータを出力する表示領域の構成を管理する表示構成管理手段と、
前記表示領域の構成に基づいて、前記表示画面へ出力するための表示制御をおこなう表示制御処理手段と、
前記表示対象のデータの少なくとも一部が隠されていることで見えない状態を閲覧不可状態として検知する閲覧不可検知手段とを有することを特徴とする再生処理装置。
【請求項２】
前記閲覧不可検知手段は、前記表示構成管理手段で管理されている情報に基づき、前記表示対象のデータの前記表示画面への出力が停止したことを検知することを特徴とする請求項１に記載の再生処理装置。
【請求項３】
前記閲覧不可検知手段は、前記表示対象のデータを出力する表示領域の少なくとも一部が、より前面に重ねて表示された他の表示領域によって覆い隠されることによって前記表示画面に出力されないことを検知することを特徴とする請求項１に記載の再生処理装置。
【請求項４】
前記表示対象のデータを１つ以上記憶可能な記憶手段を備え、
前記閲覧不可検知手段が閲覧不可状態を検知した際に、前記記憶手段に、前記表示対象のデータを蓄積する処理をおこなうことを特徴とする請求項１に記載の再生処理装置。
【請求項５】
静止画データを１つ以上記憶可能な記憶手段を備え、
前記閲覧不可検知手段が閲覧不可状態を検知した際に、前記記憶手段に、所定のタイミングで前記表示対象のデータの一部を静止画として蓄積する処理をおこなうことを特徴とする請求項１に記載の再生処理装置。
【請求項６】
前記閲覧不可検知手段が閲覧不可状態を検知した際に、検出結果、タイミング情報、チャンネル番号などの視聴中の番組情報、検出要因のうち少なくとも１つ以上の情報をログとして蓄積記憶する記憶手段を備えることを特徴とする請求項１に記載の再生処理装置。
【請求項７】
前記表示画面の表示・非表示を切り替える画面出力切替手段を有し、
前記閲覧不可検知手段は、前記画面出力切替手段による表示画面の非表示を検知することを特徴とする請求項１に記載の再生処理装置。
【請求項８】
前記再生処理装置の本体が表示画面を内側にして折り畳める構造の筐体であって、
前記本体を閉じた状態と前記本体を開いた状態を検出できる開閉センサを前記本体に有し、
前記閲覧不可検知手段は、前記本体が閉じた状態を開閉センサから検知することを特徴とする請求項１に記載の再生処理装置。
【請求項９】
前記閲覧不可検知手段による検知結果と前記検知結果に対応する処理の対応ルールを管理する第２閲覧不可検知手段を備え、
前記第２閲覧不可検知手段は、前記閲覧不可検知手段が閲覧不可状態を検知した際に、前記対応ルールに基づき、対応する処理を決定することを特徴とする請求項１に記載の再生処理装置。
【発明の詳細な説明】
【技術分野】
【０００１】
本発明は、音声、映像、その他マルチメディアデータを再生する再生処理装置に関し、特に放送波および通信回線を介してリアルタイムに提供される放送音声、放送映像、その他マルチメディアデータを再生する再生処理装置に関するものである。
【背景技術】
【０００２】
従来の技術として、放送データを受信して再生処理をおこなう受信端末において、放送データが受信困難な場合を検知し、通信回線網などを介して放送局へ検知結果を送信する機能を具備しているものがあった（例えば、特許文献１、特許文献２参照）。これら従来技術において、前記受信端末が送信した検知結果を放送局が受信して解析することにより、放送データが受信困難であるという受信端末側の事象に対して様々なサービスを提供することが可能となる。
【０００３】
特許文献１は、符号化された有料放送データを受信し再生する受信端末で、有料放送データの放送波の受信状態を判定し、判定結果を集計して通信回線などを介し放送局へ通知するものである。また前記特許文献１は、前記放送局が、通知された前記受信状態の判定結果に基づいて課金するという課金システムの特許でもある。前記特許文献１において、前記受信状態の判定結果としては、再生困難となるレベル値を下回った場合の時間を集計したものや、有料放送データ以外の放送データの受信に切り替えた場合の時間を集計したものであるとしている。
【０００４】
特許文献２は、データ受信率のエラー訂正率による受信状態に応じて、ユーザの嗜好に応じた、映像の代替情報をインターネットなどから取得して表示処理をおこなうデータ処理装置である。
【特許文献１】特開２００２−０３４０１５号公報
【特許文献２】特開２００３−２１９２９９号公報
【発明の開示】
【発明が解決しようとする課題】
【０００５】
しかし前記従来技術において、前記受信端末および前記データ処理装置（以下「受信端末」と称する）を使用するユーザによる放送の視聴が不可と判定している判定要因が、いずれも受信端末がおかれた受信状態に起因するものであるため、受信状態は良好であるにも関わらず、受信端末が持つ特有の事象によって放送映像が画面出力されない、または放送映像が画面出力されていることをユーザが確認できないという場合は、閲覧不可として検知していないという課題を有していた。
【０００６】
ここでいう受信端末が持つ特有の事象とは、例えば、放送映像を出力する表示画面において、放送映像を表示している画面領域の前面に、放送映像以外の表示が出力されることによって放送映像の視聴が妨げられる事象である。他にも例えば、折り畳み式携帯型再生処理装置として実装することを想定した場合であれば、放送映像が出力される表示画面を内側にして折り畳んだことにより放送映像が見られなくなる事象などがある。
【０００７】
本発明は、前記従来の課題を解決するものであり、放送映像が画面出力されなくなる事象、および放送映像が画面出力されていることをユーザが確認できない事象を検知し、その検知結果に応じた処理を実行することを可能とした再生処理装置の提供を目的としている。
【課題を解決するための手段】
【０００８】
前記従来の課題を解決するために、本発明の再生処理装置は、放送波または通信回線より取得したストリームデータを復号化することによって得られるデータを再生して表示する再生処理装置であって、表示対象のデータを出力するための表示画面と、前記表示対象のデータを出力する表示領域の構成を管理する表示構成管理手段と、前記表示領域の構成に基づいて、前記表示画面へ出力するための表示制御をおこなう表示制御処理手段と、前記表示対象のデータの少なくとも一部が隠されていることで見えない状態を閲覧不可状態として検知する閲覧不可検知手段とを有し、受信状態に関わらず、再生処理装置使用者が前記放送映像を表示する表示領域の一部ないし全部を閲覧することができない状態を検知することができる。
【発明の効果】
【０００９】
本発明の再生処理装置によれば、受信状態に関わらず、前記再生処理装置使用者が前記放送映像を表示する表示領域の一部ないし全部を閲覧することができない事象を、前記再生処理装置が検知して前記事象に対する所定の処理を実行することが可能となる。
【００１０】
例えば、電源電圧が低下して表示画面への出力が制限された場合や、折り畳み型の形状を持つ筐体が折り畳まれることによって使用者が表示画面を確認できない場合、放送映像を表示するウィンドウの一部ないし全部が表示画面に出力されない場合などの事象を閲覧不可事象として検出し、それぞれの検出結果に応じたタイミングで録画処理、閲覧不可となった事象のログ蓄積、外部機器への録画要求など、使用者が放送映像の一部を見逃すことに対するあらゆる処理を実行することが可能となる。
【発明を実施するための最良の形態】
【００１１】
以下、本発明の実施の形態について、それぞれ図面を参照しながら説明する。
【００１２】
（実施の形態１）
実施の形態１について、図１〜図６の図面を参照しながら説明する。
【００１３】
図１は、本発明の実施の形態１における再生処理装置１００を示すブロック図である。
【００１４】
図１において、再生処理装置１００は、放送受信アンテナ１０２を介してテレビジョン放送信号１０１を放送受信手段１０３へ取り込む。
【００１５】
放送受信手段１０３は、受信したテレビジョン放送信号から、所定のチャンネルを選局して検波し、復調して放送再生に有効なストリーム信号（例えばＭＰＥＧ−ＴＳ）に変換し、ストリームデコーダ（例えばＭＰＥＧ−ＴＳデコーダ）１０４に出力する。
【００１６】
ストリームデコーダ１０４は、送られたストリーム信号を多重化された映像情報信号、音声情報信号、文字図形情報信号、その他のデータ信号のうち少なくとも１つ以上の信号に分離し、各信号に対応したデコーダへ信号を出力する。例えば、音声情報信号であればオーディオデコーダ１０５、映像情報信号であればビデオデコーダ１０６、その他のデータ信号であれば制御手段（ＣＰＵ）１１２または各データに対応したデコーダへそれぞれ出力する。
【００１７】
オーディオデコーダ１０５は、送られた音声情報信号をデコードし、スピーカ１０８に音声として出力する。
【００１８】
ビデオデコーダ１０６は、送られた映像情報信号をデコードして表示画面１０９で出力できる映像信号に変換し、表示制御手段１０７に出力する。
【００１９】
同様に、データ放送コンテンツ、文字・図形・静止画情報、字幕・文字スーパー情報などの各信号も制御手段（ＣＰＵ）１１２またはそれぞれに対応したデコーダによって画面出力制御情報に変換し、表示制御手段１０７に出力する。
【００２０】
表示制御手段１０７では、送られた映像信号や画面出力制御情報に基づき、映像情報信号やその他データ（例えば文字・図形・静止画・字幕・文字スーパーなど）の表示サイズや表示位置など表示画面１０９に出力する情報を、それぞれ１つの仮想表示領域５００（以下「ウィンドウ」と称する）単位で保持する。また各ウィンドウ５００の重なりを示すウィンドウスタック順序の情報も合わせて保持する。（保持を実現するのは記憶手段１１３であっても良い）この各ウィンドウが持つ情報に基づいて、送られた映像信号を映像プレーンバッファ、送られた画面出力制御情報に基づいて画像プレーンバッファにそれぞれ画面表示に出力する形式で出力し、さらに映像プレーンバッファと画像プレーンバッファを合成して、表示画面１０９（たとえばＶＲＡＭ）に出力する。図３では、表示画面１０９に３つの異なる情報（例えば、映像信号と文字と静止画）を各々３つのウィンドウに同時に表示している例である。
【００２１】
表示構成管理手段１１０は、表示制御手段１０７で保持している各ウィンドウ情報を管理しており、アプリケーションから制御（ＣＰＵ）１１２を介してウィンドウに関する処理の要求を受け、この要求に基づいて、ウィンドウの生成、削除、および、表示位置や表示サイズ、ウィンドウスタック順序などのウィンドウ情報の変更を表示制御手段１０７に指示する。
【００２２】
また、表示構成管理手段１１０は、放送映像を表示するウィンドウを判別するための判別情報をウィンドウに付与する機能を有する。判別情報の付与方法としては、例えば放送映像表示判別フラグをウィンドウ情報の１つとして設け、前記放送映像表示判別フラグの値がＯＦＦ（たとえば整数値０）の場合は放送映像以外を表示するウィンドウとして認識し、前記放送映像表示判別フラグの値がＯＮ（たとえば整数値１）の場合は放送映像を表示するフラグとして認識する。なお、これは放送映像を表示するウィンドウであるかどうかを判別するために用いる情報を想定しているものであり、他にも各ウィンドウで表示する内容を示すＩＤや文字列変数を用いて判別する方法を用いても同様の付与方法とする。
【００２３】
また、表示構成管理手段１１０は、所定のタイミングで各ウィンドウ情報の表示位置、表示サイズ、スタック順序を比較し、他のウィンドウが前面に表示されるなどの要因で、放送映像を表示するウィンドウの少なくとも一部の表示が欠ける現象があるか判定する閲覧不可検知機能１１１を有する。判定した結果、放送映像を表示するウィンドウの少なくとも一部の表示が欠ける現象が検知されたことを、閲覧不可時処理手段１１４に通知する。
【００２４】
閲覧不可時処理手段１１４は、通知された内容に対応する処理を実行する。例えば、放送映像を表示するウィンドウの少なくとも一部が欠ける現象が発生したことを示す通知であれば、録画手段１１５は、受信中の放送の録画を開始す。
【００２５】
以上のような構成により、再生処理装置１００は、放送映像の一部ないし全部が表示されない現象を検知し、検知したことを契機にして対応した処理を実行することを可能となる。このことから、テレビ放送が正常に受信されているにも関わらず、他のウィンドウが放送映像の前面に表示されることによって放送映像の一部ないし全部が見えなくなる現象を検知し、たとえば検知されたタイミングで録画を開始することにより、視聴者が放送映像やデータ放送の見逃した部分や、他のウィンドウによって隠れて見られなかった部分を後で閲覧することが可能となる。
【００２６】
以下、図２に基づき、具体的な処理手順を説明する。図２は再生処理装置において、表示構成管理手段１１０が行なう処理のうち、本発明に関連する処理を示したフローチャート図である。表示構成管理手段１１０は、定期的に、または、制御手段（ＣＰＵ）１１２および表示制御手段１０７などからの通知を契機にして、処理を開始する。
【００２７】
まず、表示構成管理手段１１０は、表示構成管理手段１１０を使用する上位アプリケーションから制御手段（ＣＰＵ）１１２を介して、ウィンドウの生成処理、ウィンドウの削除処理、または各ウィンドウの表示位置、表示サイズ、スタック順序、可視化フラグなどの属性値の変更処理に関する要求通知を受け、ウィンドウ構成に変更があるか否かを確認する（Ｓ２００１）。ここでは、要求通知を実行することで、属性値の変化が発生するケース（表示構成管理手段１１０がウィンドウの処理を実行）、または、既に属性値の変化が発生済みのケース（表示構成管理手段１１０以外の手段がウィンドウの処理を実行）がある。属性値に変化があればウィンドウ構成に変化があるとして（Ｓ２００１がＹｅｓ）、ステップＳ２００２の処理を続行する。一方、属性値に変化がなければウィンドウ構成に変化がないので（Ｓ２００１がＮｏ）、処理を終了する。
【００２８】
次に、放送表示処理機能を実行しているかどうかを確認する（Ｓ２００２）。放送表示処理機能を実行中であれば（Ｓ２００２がＹｅｓ）、放送映像のウィンドウ（表示領域）の全部が表示画面１０９に出力されているか確認する必要があるため、ステップＳ２００３の処理を続行する。放送表示処理機能を実行していなければ（Ｓ２００２がＮｏ）、放送映像を表示画面１０９に出力していないため、処理を終了する。
【００２９】
次に、放送映像を出力するウィンドウが生成されているかを確認する（Ｓ２００３）。放送映像を出力するウィンドウが生成されていなければ（Ｓ２００３がＮｏ）、放送映像処理機能を実行しているにも関わらず、表示画面１０９へ放送映像が出力されていない状態であるため、ステップＳ２００９の処理に遷移する。放送映像を出力するウィンドウが生成されていれば（Ｓ２００３がＹｅｓ）、ステップＳ２００４を続行する。
【００３０】
次に、放送映像を出力するウィンドウの全面が表示画面１０９に出力されるか判定する処理を実行する（Ｓ２００４）。本処理の詳細な処理については後に記述する。
【００３１】
次に、ステップＳ２００４の処理の結果、放送映像を出力するウィンドウの全面が表示画面１０９に出力されるかどうかで実行する処理を分岐する（Ｓ２００５）。
【００３２】
放送映像を出力するウィンドウの全面が表示画面１０９に出力されないことが判明した場合（Ｓ２００５がＮｏ）、閲覧不可フラグを確認し（Ｓ２００９）、ＯＦＦであれば、閲覧不可時処理手段１１４へ閲覧不可の通知とその原因を通知し（Ｓ２０１０）、閲覧不可フラグをＯＮに設定する（Ｓ２０１１）。閲覧不可フラグは、放送映像を出力するウィンドウの全面が表示画面１０９に出力されない状態において、既に閲覧不可時処理手段１１４へ通知済みであることを示すフラグであり、閲覧不可時処理手段１１４への冗長な通知を防止する意図で設けられている。閲覧不可フラグは、前記の意図を満たすものであれば実装の詳細を指定するものではない。放送映像を出力するウィンドウの属性値として設けてもよいし、グローバル値として設けてもよい。閲覧不可フラグがＯＮの場合は、既に閲覧不可時処理手段１１４へ通知済みであるため、以降の処理をスキップする。
【００３３】
また、放送映像を出力するウィンドウの全面が表示画面１０９に出力されることが判明した場合（Ｓ２００５がＹｅｓ）、閲覧不可フラグを確認し（Ｓ２００６）、ＯＮであれば、放送映像が全面出力されていることを閲覧不可時処理手段１１４へ通知し（Ｓ２００７）、閲覧不可フラグをＯＦＦに設定する（Ｓ２００８）。閲覧不可フラグがＯＦＦの場合は、既に閲覧不可時処理手段１１４へ通知済みであるため、以降の処理をスキップする。
【００３４】
ステップＳ２０１０およびＳ２００７の処理によって、通知を受けた閲覧不可時処理手段１１４は、通知の内容に対応する処理を実行する（Ｓ２１０１）。例えば、放送映像を出力するウィンドウの一部ないし全部が表示画面１０９に出力されない場合には、選局しているチャンネルの放送内容の録画要求を録画手段１１５へ通知する。録画要求の通知を受けた録画手段１１５は、選局しているチャンネルの放送内容の録画を開始する（Ｓ２２０１）。
【００３５】
以上の処理フローによって、放送映像の表示領域の一部ないし全部が見えなくなった場合を検知し、閲覧中の放送番組の録画を開始するなどの対応処理を実行することが可能である。
【００３６】
なお、ステップＳ２００１からＳ２００３の各処理は、ステップＳ２００４を実行するための判定処理であることを満たしていれば順番が前後してもよい。また同等の処理を実現するために、図２のフローチャートの開始が、ウィンドウ構成の変更が発生したことに起因する制御装置１１２および表示制御手段１０７などからの通知によって呼出される実装であれば、既にウィンドウ構成の変化が発生したことが自明であるため、ステップＳ２００１の処理を不要とする実装も想定する。
【００３７】
ステップＳ２００４の処理において、放送映像を出力するウィンドウの全面が表示画面１０９に出力されるかを検知する方法として、例えば、以下に説明する検知方法などがある。なお、以下の説明において、表示画面の左上端を原点（０、０）、表示画面の水平方向をＸ軸、垂直方向をＹ軸としたピクセル単位の２次元マトリクスを想定し、表示画面の横幅をＷ、縦幅をＨと表現する。放送映像を出力するウィンドウの左上端の座標を（ＰＸ、ＰＹ）、横幅をＰＷ、縦幅をＰＨと表現する（図５）。
【００３８】
（検知方法１）ＰＷおよびＰＨが、放送映像を閲覧するために必要な一定のサイズ以上でない場合。例えば、ＰＷ＝２、ＰＨ＝２のウィンドウでは、視聴者は放送映像として十分認識することはできない場合（図５）を、閲覧不可として検知する。
【００３９】
（検知方法２）ＰＸ＜０または（ＰＸ＋ＰＷ）＞Ｗ、ＰＹ＜０または（ＰＹ＋ＰＨ）＞Ｈであり、放送映像を出力するウィンドウの少なくとも一部分が表示画面よりはみ出して表示されない場合（図４）を、閲覧不可として検知する。
【００４０】
（検知方法３）放送映像を出力するウィンドウの属性値（たとえばＸ  Ｗｉｎｄｏｗ  Ｓｙｓｔｅｍ（登録商標）環境におけるアンマップ状態を示す属性値や表示不可を示す属性値など）によって、表示制御手段１０７がウィンドウを表示させない設定になっている場合を、閲覧不可として検知する。
【００４１】
（検知方法４）他のウィンドウの表示矩形が放送映像を出力するウィンドウよりも全面に重なっている場合。他のウィンドウの左上端の座標を（ＱＸ、ＱＹ）、横幅をＱＷ、縦幅をＱＨと表現する（図５）と、重なっていることは次の矩形領域重なり条件を用いて判定することができる。矩形領域重なり条件１は、ＱＸ≦ＰＸ≦（ＱＸ＋ＱＷ）、ＱＹ≦ＰＹ≦（ＱＹ＋ＱＨ）の両式を同時に満たす場合。矩形領域重なり条件２は、ＱＸ≦ＰＸ≦（ＱＸ＋ＱＷ）、ＱＹ≦（ＰＹ＋ＰＨ）≦（ＱＹ＋ＱＨ）の両式を同時に満たす場合。矩形領域重なり条件３は、ＱＸ≦（ＰＸ＋ＰＷ）≦（ＱＸ＋ＱＷ）、ＱＹ≦ＰＹ≦（ＱＹ＋ＱＨ）の両式を同時に満たす場合。矩形領域重なり条件４は、ＱＸ≦（ＰＸ＋ＰＷ）≦（ＱＸ＋ＱＷ）、ＱＹ≦（ＰＹ＋ＰＨ）≦（ＱＹ＋ＱＨ）の両式を同時に満たす場合。但し、いずれの場合も、ＰＷ＞０、ＰＨ＞０、ＱＷ＞０、ＱＨ＞０であり、かつ放送映像を出力するウィンドウよりも他のウィンドウが前面に出力されるスタック順序であり、かつ前面に表示される他のウィンドウが属性値によって表示制御手段がウィンドウを表示させない設定になっていないこと。また、重なっているウィンドウの一部の領域ないし全領域に透過処理が実行され、放送映像を出力するウィンドウの全体が可視である場合は、閲覧不可時として検知しない。
【００４２】
（検知方法５）特定の色を指定して透過色として扱う、もしくは特定の色が指定されている座標に対して画像プレーンと動画プレーンとの合成処理をおこなう、いわゆるキーカラー設定の場合は、他のウィンドウが放送映像を出力するウィンドウの前面に重なっているかを検知した上で、放送映像を出力するウィンドウ側の重なっている部分にキーカラーが使用されているかを調べる。キーカラーが使用されていれば、放送映像の一部が見えない状態にあると検知する。
【００４３】
（検知方法６）矩形領域ではないマスクを使用して、放送映像を表示するウィンドウおよび他のウィンドウが構成されている場合は、他のウィンドウが放送映像を出力するウィンドウの前面に重なっているかを検知した上で、ウィンドウの重なっている部分のマスクパターンを座標単位で重なっているか判定する。判定の結果、他のウィンドウのマスクパターンの表示対象になっている部分が、放送映像を表示するウィンドウのマスクパターンの表示対象になっている部分の上に重なっていれば、放送映像の一部が見えない状態にあると検知する（図６）。
【００４４】
（検知方法７）放送映像を出力するウィンドウと他のウィンドウがアルファ処理によって半透明で重なる場合には、アルファ値の閾値を設けることによって、閲覧不可であるかどうかを検知することも可能である。例えば、他のウィンドウが放送映像を出力するウィンドウの前面に重なっている状態で、他のウィンドウのアルファ値が５０％を超える場合は、閲覧不可であると検知することができる。
【００４５】
また、ステップＳ２００４の処理において、放送映像を出力するウィンドウの一部ないし全部が表示できない現象を検知するものであれば、他の検知ルールを用いることも可能であり、前記の検知方法１〜検知方法７に限らない。
【００４６】
また、ステップＳ２２０１の処理において、放送映像が閲覧不可であることに対応する処理であれば、録画以外の処理をおこなうことも想定している。例えば、閲覧不可となった時点の日時や受信中のチャンネルをログとして記録手段（例えばＨＤＤやＲＡＭや外部メモリデバイスなど）１１３に記録する処理や、録画処理ではなく一定時間おきに放送映像のスナップショットを静止画像として前記記憶手段１１３に記録する処理などを想定している。
【００４７】
以上の構成により、放送映像を表示するウィンドウの一部ないし全部が表示画面に出力されない場合を閲覧不可事象として検出し、それぞれの検出結果に応じたタイミングで録画処理、閲覧不可となった事象のログ蓄積など、使用者が放送映像の一部を見逃すことに対する処理を実行することが可能となる。
【００４８】
（実施の形態２）
実施の形態２について、図７の図面を参照しながら説明する。
【００４９】
図７は、本発明の実施の形態２における再生処理装置１００と、録画装置３００を示すブロック図である。
【００５０】
図７において、再生処理装置１００は、前記実施の形態１における再生処理装置１００の構成に加え、さらに、画面出力切替手段１１６、通信手段１１７、開閉センサ１１８、入力手段１１９、入力デバイス１２０、電源管理手段１２２を備える。
【００５１】
放送受信アンテナ１０２、放送受信手段１０３、ストリームデコーダ１０４、オーディオデコーダ１０５、ビデオデコーダ１０６、表示制御手段１０７、スピーカ１０８、表示画面１０９はそれぞれ前記実施の形態１の再生処理装置１００と同等の機能を有するものである。
【００５２】
前記表示構成管理手段１１０は、前記実施の形態１における閲覧不可検知手段と同様のウィンドウに関する判定処理をおこなう第１閲覧不可検知手段１２１を有し、第２閲覧不可検知手段１２３に検出結果を通知する。
【００５３】
前記開閉センサ１１８は、前記再生処理装置１００の本体が表示画面１０９を内側にして折り畳める構造の筐体を有している場合に、前記本体を閉じた状態と前記本体を開いた状態を検知し、少なくとも第２閲覧不可検知手段１２３に検知結果を通知する。前記本体の開閉に応じて前記表示画面１０９へ出力をＯＮにするかＯＦＦにするかを切替えたい場合には、画面出力切替手段１１６へ検出結果を通知することも想定している。なお、ここでは、折り畳める構造の筐体としたが、表示画面をおおう蓋の開閉や、筐体の一部が回転することで表示画面が隠される形状であってもよい。
【００５４】
前記電源管理手段１２２は、前記再生処理装置１００の電圧状態を監視し、一定の電圧レベル以下になることを検知し、少なくとも画面出力切替手段１１６へ検知結果を通知する。
【００５５】
前記画面出力切替手段１１６は、前記開閉センサ１１８で検知された検知結果や、電源管理手段１２２で検知された検知結果を受け取り、前記表示画面１０９の出力をＯＮにするかＯＦＦにするか切替え、その出力結果を第２閲覧不可検知手段１２３に通知する。出力をＯＮにした場合は前記表示制御手段１０７の出力結果が前記表示画面１０９に出力され、出力をＯＦＦにした場合は前記表示制御手段１０７からの出力結果を遮断して前記表示画面１０９には何も出力されなくなる。
【００５６】
前記第２閲覧不可検知手段１２３は、前記表示構成管理手段１１０からの検知結果、前記開閉センサ１１８からの検知結果、前記画面出力切替手段１１６からの検知結果のいずれか、もしくは複数の検知結果の組合せから、録画手段１１５や通信手段１１７など、対応する閲覧不可時処理手段１１４を選択して開始要求を通知する。また、前記検知結果と前記閲覧不可時処理手段１１４との対応をルールとして管理する。
【００５７】
前記通信手段１１７は、前記第２閲覧不可検知手段１２３からの開始要求を受けて、外部機器である録画装置３００の通信手段３１０に対して、閲覧不可が検出された日時、視聴中の放送番組に関する情報（例えばチャンネル番号など）を含む情報を含んだ録画要求通知を送信する。通信に利用する媒体は、録画装置３００との通信ができるものであれば、公衆回線、ＢＬＵＥＴＯＯＴＨ、赤外線通信などが想定され、通信に利用する媒体を限定しない。
【００５８】
入力手段１１９は、入力デバイス１２０を介して、前記再生処理装置１００の使用者から、前記再生処理装置１００に対して制御をおこなうための入力情報をうけとり、前記制御装置（ＣＰＵ）１１２へ前記入力情報を通知する。特に実施の形態２において、前記入力情報とは前記閲覧不可検知手段１１１が有する前記ルールを登録、変更、削除する情報である。
【００５９】
また、外部機器である前記録画装置３００は、前記録画装置３００で受信可能な放送波３０１を受信する放送受信アンテナ３０２、放送受信装置３０３、ストリームデコーダ３０４、オーディオデコーダ３０５、ビデオデコーダ３０６、録画手段３０７、制御手段３０８、記憶手段３０９、通信手段３１０を有する。
【００６０】
放送受信アンテナ３０２、放送受信手段３０３、ストリームデコーダ３０４、オーディオデコーダ３０５、ビデオデコーダ３０６、録画手段３０７、制御手段（ＣＰＵ）３０８、記憶手段３０９は、それぞれ前記再生処理装置１００における放送受信アンテナ１０２、放送受信装置１０３、ストリームデコーダ１０４、オーディオデコーダ１０５、ビデオデコーダ１０６、録画手段１１５、制御手段（ＣＰＵ）１１２、記憶手段１１３と同等である。
【００６１】
前記録画装置３００における通信手段３１０は、前記再生処理装置１００の通信手段１１７から録画要求の通知を受け取り、制御装置３０８での処理において、通知内容に含まれる情報にしたがって放送の受信開始および録画処理の開始をおこなう。
【００６２】
以上の構成により、電源電圧が低下して表示画面への出力が制限された場合や、折り畳み型の形状を持つ筐体が折り畳まれることによって使用者が表示画面を確認できない場合、放送映像を表示するウィンドウの一部ないし全部が表示画面に出力されない場合を閲覧不可事象として検出し、それぞれの検出結果に応じたタイミングで録画処理、閲覧不可となった事象のログ蓄積、外部機器への録画要求など、使用者が放送映像の一部を見逃すことに対するあらゆる処理を実行することが可能となる。
【産業上の利用可能性】
【００６３】
本発明にかかる再生処理装置は、表示する表示領域の一部ないし全部を閲覧することができない事象を検知して、前記事象に対する所定の処理を実行する機能を有し、放送波および通信回線を介してリアルタイムに提供される放送音声、放送映像、その他マルチメディアデータを再生するテレビジョン装置等として有用である。また、衛星放送、地上波放送、インターネット放送を提示するテレビジョン装置だけでなく、放送を受信する機器であれば、テレビ機能を搭載する携帯電話、モバイル機器、パソコン等のコンピュータ機器や情報端末などにも応用できるものである。
【図面の簡単な説明】
【００６４】
【図１】本発明の実施の形態１における再生処理装置のブロック図
【図２】本発明の実態の形態１における再生処理装置の表示構成管理手段による閲覧不可検知処理を示したフローチャート
【図３】表示画面とウィンドウについての概要図
【図４】放送映像を出力するウィンドウが表示画面からはみ出す事象を示した概要図
【図５】表示画面、放送映像を出力するウィンドウ、放送映像を出力するウィンドウの前面に重なる他のウィンドウの状態と表示位置、サイズに関する説明を示した概要図
【図６】表示画面、放送映像を出力するウィンドウのマスク情報、放送映像を出力するウィンドウの前面に重なる他のウィンドウのマスク情報と、マスク情報の重なりを判定するための対象となる領域を示した概要図
【図７】本発明の実施の形態２における再生処理装置および外部機器である録画装置のブロック図
【符号の説明】
【００６５】
１００    再生処理装置
１０１    放送波
１０２    放送受信アンテナ
１０３    放送受信手段
１０４    ストリームデコーダ
１０５    オーディオデコーダ
１０６    ビデオデコーダ
１０７    表示制御手段
１０８    スピーカ
１０９    表示画面
１１０    表示構成管理手段
１１１    閲覧不可検知手段
１１２    制御手段（ＣＰＵ）
１１３    記憶手段
１１４    閲覧不可時処理手段
１１５    録画手段
１１６    画面出力切替手段
１１７    通信手段
１１８    開閉センサ
１１９    入力手段
１２０    入力デバイス
１２１    第１閲覧不可検知手段
１２２    電源管理手段
１２３    第２閲覧不可検知手段
２００    通信回線網
３００    録画装置
３０１    放送波
３０２    放送受信アンテナ
３０３    放送受信手段
３０４    ストリームデコーダ
３０５    オーディオデコーダ
３０６    ビデオデコーダ
３０７    録画手段
３０８    制御手段（ＣＰＵ）
３０９    記録手段
３１０    通信手段
【図１】
2006148631.tif 000003
【図２】
2006148631.tif 000004
【図３】
2006148631.tif 000005
【図４】
2006148631.tif 000006
【図５】
2006148631.tif 000007
【図６】
2006148631.tif 000008
【図７】
2006148631.tif 000009